(57)【特許請求の範囲】
【請求項１】
フィルタエレメント（１５）が装着されるクリーナ室（２２）及びこのクリーナ室（２２）の周壁部分（２２ａ）から突出する係止爪（３０）を有する本体ケース（２０）と、この本体ケース（２０）を覆い得る大きさの蓋室（４２）を有し、この蓋室（４２）から前記係止爪（３０）が突出する方向に、係合面部（４４ａ）と一対の押圧面部（４４ｂ、４４ｃ）とからなり断面概略コ字状に連なる延長面部（４４）が延設されてなるカバー部材（４０）と、を備え、該カバー部材（４０）の前記係合面部（４４ａ）に前記係止爪（３０）の係合端面（３０ａ）が当接せしめられる係止開口（５０）が形成されていて、前記一対の押圧面部（４４ｂ、４４ｃ）をそれらの外側から挟むように押圧することにより、前記係合面部（４４ａ）の前記係止開口（５０）部分が前記係止爪（３０）の前記係合端面（３０ａ）から離脱する方向に湾曲するようにされていることを特徴とするエアークリーナ。
【請求項２】
前記係止爪（３０）及び前記係止開口（５０）は、それぞれ前記本体ケース（２０）及び前記カバー部材（４０）の幅方向中央部に設けられていることを特徴とする請求項１に記載のエアークリーナ。
【請求項３】
前記係止爪（３０）は側面視が概略「Ｌ」字ないし「７」字状とされていることを特徴とする請求項１又は２に記載のエアークリーナ。
【請求項４】
前記本体ケース（２０）の前記係止爪（３０）を有する周壁部分（２２ａ）とは反対側の周壁部分（２２ｂ）に、前記カバー部材（４０）に設けられた可動側ヒンジ片部（５２）が掛止される固定側ヒンジ片部（３２）が設けられ、前記カバー部材（４０）はそれらのヒンジ片部（５２、３２）の係合点（Ｐ）を支点にして回動せしめられることを特徴とする請求項１乃至３のいずれかに記載のエアークリーナ。
【請求項５】
前記係止爪（３０）は、その基端部（Ｑ）から前記係止開口（５０）側へ斜め上方に伸びていることを特徴とする請求項１乃至４のいずれかに記載のエアークリーナ。
【発明の詳細な説明】
【０００１】
【発明の属する技術分野】
本発明は、エアークリーナに係り、特に刈払機等の携帯型動力作業機に搭載される小型空冷２サイクルガソリンエンジンの吸気系に配備するのに好適なエアークリーナのカバー部材の係止手段に関する。
【０００２】
【従来の技術】
この種のエアークリーナは、例えば、実開昭５３−９９４０９号公報等にも見られるように、通常、気化器等の吸気系部品に取着固定される本体ケースと、この本体ケースを覆い得る大きさの蓋室を有し、前記本体ケースに対して着脱自在に取着されるカバー部材と、を備え、前記本体ケースには、エアー浄化用の例えば多孔質でかつ軟質の合成樹脂フォーム材料等からなるフィルタエレメントが装着されるクリーナ室が設けられている。
【０００３】
かかるエアークリーナにおいては、フィルタエレメントのメンテナンス等を行うため、前記カバー部材を前記本体ケースに対して頻繁に着脱する必要があるが、従来においては、前記公報にも所載のように、前記本体ケースに前記カバー部材をボルト類でねじ止めしていたので、前記カバー部材の着脱が面倒で素早く行うことができないという問題があった。
【０００４】
そこで、カバー部材を本体ケースにボルト類を使用せずに簡易に着脱できるようにすべく、図５及び図６に示される如くのエアークリーナ６０が提案されている。図示例のエアークリーナ６０は、環状のフィルタエレメント６５が装着されるクリーナ室及びこのクリーナ室の一端側の周壁部分７２ａから上方に突出するコ字状掛止部７５を有する本体ケース７０と、この本体ケース７０を覆い得る大きさの蓋室９２を有し、この蓋室９２から前記コ字状掛止部７５側に向けて、断面三角形の係止突起９５ａを有する短冊状の係止爪９５が突設されるとともに、コ字状の開口９６が形成された延長部９４が延設されたカバー部材９０とを備えている。
【０００５】
前記本体ケース７０のクリーナ室７２には、前記環状のフィルタエレメント６５の内周面が当接せしめられる所定数の立上片７４、７４、…が適宜の間隔をあけて突設せしめられ、前記フィルタエレメント６５は、前記クリーナ室７２の周壁と前記立上片７４、７４、…との間で、前記クリーナ室７２の底壁７２Ａと前記カバー部材９０の蓋室９２の底壁９２Ａとで挟圧保持されている。
【０００６】
また、前記クリーナ室７２の下部にエアー流入口７８が設けられるとともに、その中央部付近に浄化エアー流出口７９が設けられ、さらに、前記本体ケース７０の前記コ字状掛止部７５とは反対側の周壁部分７２ｂに、前記カバー部材９０に設けられた左右一対のＬ字状の可動側ヒンジ片部９７、９７が掛止される左右一対のコ字状の固定側ヒンジ片部７７、７７が設けられている。
なお、前記本体ケース７０には、それを気化器Ｃ等の吸気系部品に取付固定するためのねじ類を通す穴等が設けられている。
【０００７】
かかるエアークリーナ６０においては、前記カバー部材９０を前記本体ケース７０から脱着するにあたっては、図６の白抜き矢印で示される如くに、前記カバー部材９０に設けられている前記係止爪９５を前記本体ケース７０側に押し下げて、前記係止爪９５の前記係止突起９５ａが前記コ字状掛止部７５に引っ掛からないようにした状態で、前記カバー部材９０の上部を前記本体ケース７０から離れる方向（図６の矢印Ｆで示される方向）に引く。これにより、前記カバー部材９０は前記可動側ヒンジ部９７と固定側ヒンジ部７７との係合点Ｐを支点にして回動せしめられ、前記係止爪９５の前記係止突起９５ａ部分が前記本体ケース７０の前記コ字状掛止部７５から抜け、かつ、そのまま前記カバー部材９０を手前に引き出すことにより、前記可動側ヒンジ片部９７と前記固定側ヒンジ片部７７との係合状態も解除されて、前記カバー部材９０が前記本体ケース７０から取り外すことができる。
【０００８】
また、上記とは逆に、前記可動側ヒンジ片部９７と固定側ヒンジ片部７７とを係合させた状態で前記係止爪９５を押し下げながら前記コ字状掛止部７５内に通して前記カバー部材９０を前記本体ケース７０側に回動させることにより、前記カバー部材９０が前記本体ケース７０に取着される。
【０００９】
【発明が解決しようとする課題】
しかしながら、前記した如くの、係止爪９５を押し下げてカバー部材９０を本体ケース７０に対して着脱するようにされた従来のエアークリーナ６０においては、カバー部材９０の脱着時には、例えば人指し指で係止爪９５を押し下げる操作を行いつつ他の指又は他方の手でカバー部材９０（の両側面の上部）を外側から挟むように押圧しながら引っ張る操作、つまり、複合操作が必要となり、カバー部材を本体ケースにボルト類を使用して取り付けたものに比して着脱操作が容易に行えるものの、いまだ充分ではなく、上記のような複合操作ではなく、カバー部材を本体ケースに対して片手でワンタッチで簡単容易に着脱できるようにしたエアークリーナが望まれている。
【００１０】
また、前記従来のエアークリーナ６０においては、カバー部材９０に大きな振動、衝撃等が加えられたとき、特にその係止爪９５に外側から何らかの外力を加えられた場合、あるいは、前記係止爪９５の係止突起９５ａが摩耗して小さくなった場合等に、係止爪９５がコ字状掛止部７５から抜けやすくなって、不意にカバー部材９０が外れてしまうおそれがあり、この点でも改善が望まれていた。
本発明は、前記点に鑑みてなされたものであって、その目的とするところは、カバー部材を本体ケースに対して片手でワンタッチで簡単容易に着脱できるとともに、振動、衝撃等が加えられた場合でもカバー部材が外れにくくされたエアークリーナを提供することにある。
【００１１】
【課題を解決するための手段】
上述の目的を達成すべく、本発明に係るエアークリーナは、基本的には、フィルタエレメントが装着されるクリーナ室及びこのクリーナ室の周壁部分から突出する係止爪を有する本体ケースと、この本体ケースを覆い得る大きさの蓋室を有し、この蓋室から前記係止爪が突出する方向に、係合面部と一対の押圧面部とからなり断面コ字状に連なる延長面部が延設されてなるカバー部材と、を備えている。
【００１２】
そして、該カバー部材の前記係合面部に前記係止爪の係合端面が当接せしめられる係止開口が形成されていて、前記一対の押圧面部をそれらの外側から挟むように押圧することにより、前記係合面部の前記係止開口部分が前記係止爪の前記係合端面から離脱する方向に湾曲するようにされていることを特徴としている。
本発明のエアークリーナの好ましい具体的な態様では、前記係止爪及び前記係止開口は、それぞれ前記本体ケース及び前記カバー部材の幅方向中央部に設けられる。
また、他の好ましい態様では、前記係止爪は側面視が概略「Ｌ」字ないし「７」字状とされている。
【００１３】
また、他の別の好ましい態様では、前記本体ケースの前記係止爪を有する周壁部分とは反対側の周壁部分に、前記カバー部材に設けられた可動側ヒンジ片部が掛止される固定側ヒンジ片部が設けられ、前記カバー部材はそれらのヒンジ片部の係合点を支点にして回動せしめられることにより、前記本体ケースに対して着脱される。
さらに、別の好ましい態様では、前記係止爪は、その基端部から前記係止開口側へ斜め上方に伸びている。
【００１４】
このような構成とされた本発明に係るエアークリーナの好ましい態様においては、カバー部材の一対の押圧面部をそれらの外側から挟むように押圧することにより、係合面部が弾性的に撓曲してその左右方向中央部分が外方に張り出すように湾曲し、係合面部の係止開口部分が係止爪の係合端面から離脱する。これにより、係止爪と係止開口との係合状態が解かれて、この状態で前記カバー部材を本体ケースから離れる方向に引けば、該カバー部材は可動側ヒンジ片部と固定側ヒンジ片部との係合点を支点にして回動せしめられて、前記本体ケースから取り外される。
【００１５】
また、上記とは逆に、可動側ヒンジ片部と固定側ヒンジ片部とを係合させた状態で前記カバー部材を前記本体ケース側に回動させることにより、前記係止爪が前記カバー部材の係合面部の裏面側で撓められた状態で前記係止開口位置まで摺動せしめられ、そこで手による押圧を解除すると元の状態に復帰し、その係合端面が前記係止開口に係合せしめられ、これにより、前記カバー部材が前記本体ケースに取着される。
このため、従来のもののようにボルト類を使用することなく、また、前記した図５、図６に示されるもののように複合操作を要することなく、カバー部材を本体ケースに対して片手でワンタッチで簡単容易に着脱できる。
【００１６】
また、前記係止爪の係合端面は前記係止開口に対接係合しているだけであるが、前記係止爪の係合端面、前記ヒンジ片部の係合点、前記係止開口部の対接係合面等の相互位置関係により、前記カバー部材が着脱されるときにおける前記ヒンジ片部の係合点を支点にした前記係止開口の対接係合面の回動軌跡が前記係止爪の係合端面に交差するようにされ、かつ、前記前記係止爪はその基端部から前記係止開口側へ斜め上方に伸びている関係上、前記係止開口の対接係合面に対して、前記係止爪が外部から押圧されたときにおける前記基端部を支点にした前記係合端面の撓曲回動軌跡も交差するので、前記係止爪に外部から何らかの押圧力が加えられた場合や、前記カバー部材に大きな振動、衝撃等が加えられた場合でも、それらの外力は、前記係止爪の係合端面と前記係止開口の対接係合面との係合力を増加させる方向の力に変換される。
【００１７】
このため、前記係止爪の係合端面と前記係止開口の対接係合面は、前記のように係合面部の係止開口付近が両側からの押圧により意図的に湾曲せしめられたとき以外は、その係合状態が解かれにくくされ、その結果、カバー部材は、振動、衝撃等が加えられた場合でも本体ケースから外れず、さらに、前記前記係止爪の係合端面と前記係止開口の対接係合面とが多少摩耗したり、あるいは、前記係止爪と前記係止開口との間等に多少のガタがあっても充分に吸収されて、不意にカバー部材が外れるような事態が生じにくくされる。
【００１８】
【発明の実施の形態】
以下に添付図面を参照して本発明の実施形態を詳細に説明する。
図１及び図２は、本発明に係るエアークリーナの一実施形態を示している。図示実施形態のエアークリーナ１０は、例えば刈払機等の携帯型動力作業機に搭載される小型空冷２サイクルガソリンエンジン（図示せず）の吸気系に配備されるもので、ダイヤフラム式気化器Ｃ等の吸気系部品に取付固定される本体ケース２０と、これを覆うように取着されるカバー部材４０と、を備えている。
【００１９】
前記本体ケース２０は、エアー浄化用の例えば多孔質でかつ軟質の合成樹脂フォーム材料等からなる角丸矩形環状のフィルタエレメント１５が装着されるクリーナ室２２及びこのクリーナ室２２の一端側（上側）の周壁部分２２ａの左右（幅）方向中央部から後方斜め上に突出する側面視「７」字状の、適度の弾発性を備えた係止爪３０を有している（後に詳述）。
【００２０】
前記本体ケース２０の前記クリーナ室２２には、前記環状のフィルタエレメント１５の内周面が当接せしめられる所定数の立上片２４、２４、…が適宜の間隔をあけて突設せしめられ、前記フィルタエレメント１５は、前記クリーナ室２２の周壁（２２ａ、２２ｂ、…）と前記立上片２４、２４、…との間で、前記クリーナ室２２の底壁２２Ａと、後述する前記カバー部材４０の蓋室４２の底壁４２Ａとで挟圧保持されている。
【００２１】
また、前記クリーナ室２２の下部には、図３及び図４を参照すればよくわかるように、四つに仕切られた細長形のエアー流入口２８が設けられるとともに、その中央部より若干上側に浄化エアー流出口２９が設けられ、さらに、前記本体ケース２０の前記係止爪３０とは反対側（下側）の前記クリーナー室２２の周壁部分２２ｂ中央に、前記カバー部材４０の下端中央部に設けられた側面視Ｌ字状の可動側ヒンジ片部５２が掛止されるコ字状の固定側ヒンジ片部３２が設けられている。
なお、前記本体ケース２０の前記クリーナ室２２の底壁２２Ａには、それを前記気化器Ｃ等の吸気系部品に取付固定するためのねじ類を通す穴２６、２６（図４）等が設けられている。
【００２２】
一方、前記カバー部材４０は、前記本体ケース２０を覆い得る大きさの蓋室４２を有し、この蓋室４２から前記係止爪３０が突出する方向に、断面概略コ字状に連なる係合面部４４ａと左右一対の押圧面部４４ｂ、４４ｃ（図３、図４）とからなる延長面部４４が延設されている。なお前記一方の押圧面部４４ｂには空気取り入れ用の所定本のスリット状の窓４５、４５、…が横並びに形成されている。
【００２３】
前記カバー部材４０の左右（幅）方向中央部で、前記係合面部４４ａから前記蓋室４２の上面部４２ａにかけて、前記係止爪３０の突出端の係合端面３０ａが当接せしめられる矩形の係止開口５０が形成されており、後述するように、前記左右一対の押圧面部４４ｂ、４４ｃをそれらの外側から手Ｈで挟むように押圧することにより、前記係合面部４４ａの前記係止開口５０を含む左右（幅）方向中央部分が、前記係止爪３０の前記係合端面３０ａから離脱する方向に（上方に張り出すように）湾曲する。
【００２４】
ここで、前記係止爪３０は、図３を参照すればよくわかるよう、その基端部Ｑから前記カバー部材４０の係合面部４４ａに向けて斜め上方に伸びており、その先端面とされる前記係合端面３０ａが、前記カバー部材４０の前記係止開口５０の対接係合面５０ａに対接せしめられており、これによって、前記カバー部材４０は、その下端側においてそれに設けられた前記可動側ヒンジ片部５２が前記本体ケース２０の前記固定側ヒンジ片部３２に係止点Ｐで係止されるとともに、その上端側において前記係止開口５０の前記対接係合面５０ａが、前記本体ケース２０の前記係止爪３０の前記係合端面３０ａに係止されて、前記本体ケース２０に取着保持されていることになる。
【００２５】
このような構成とされた本実施形態のエアークリーナ１０においては、カバー部材４０の左右一対の押圧面部４４ｂ、４４ｃを図２において仮想線で示される如くに、手Ｈでそれらの外側から挟むように押圧することにより、図３及び図４において仮想線で示される如くに、係合面部４４ａが弾性的に撓曲してその左右（幅）方向中央部分が外方に張り出すように湾曲し、係合面部４４ａの係止開口５０部分が係止爪３０の係合端面３０ａから上方へ離脱する。これにより、係止爪３０と係止開口５０との係合状態が解かれて、この状態でカバー部材４０を本体ケース２０から離れる方向（図３の矢印Ｆ）に引けば、カバー部材４０は可動側ヒンジ片部５２と固定側ヒンジ片部３２との係合点Ｐを支点にして回動せしめられて、本体ケース２０から取り外される。
【００２６】
また、上記とは逆に、可動側ヒンジ片部５２と固定側ヒンジ片部３２とを係合させた状態で前記カバー部材４０を本体ケース２０側に回動させることにより、係止爪３０がカバー部材４０の係合面部４４ａの裏面側で撓められた状態で係止開口５０位置まで相対摺動してそこで元の状態に復帰し、その係合端面３０ａが係止開口５０の対接係合面５０ａに係合せしめられ、これにより、カバー部材４０が本体ケース２０にワンタッチで取着される。
このため、従来のもののようにボルト類を使用することなく、また、前記した図５、図６に示される従来のもののように複合操作を要することなく、カバー部材４０を本体ケース２０に対して片手でワンタッチで簡単容易に着脱できる。
【００２７】
また、前記係止爪３０の前記係合端面３０ａは前記係止開口５０の前記対接係合面５０ａに対接しているだけであるが、前記係止爪３０の前記係合端面３０ａ、前記ヒンジ片部５２、３２の前記係合点Ｐ、前記係止開口５０の前記対接係合面５０ａ等の相互位置関係により、前記カバー部材２０が着脱されるときにおける前記ヒンジ片部５２、３２の前記係合点Ｐを支点にした前記係止開口５０の前記対接係合面５０ａの回動軌跡（図３の矢印Ｋａ）が前記係止爪３０の前記係止端面３０ａに交差するようにされ、かつ、前記係止爪３０はその基端部Ｑから前記係止開口５０側へ斜め上方に伸びている、つまり、図３に示される如くに、前記係止端面３０ａ及び前記対接開口面５０ａに直交する平面に対して所定角度Ｓで上方へ傾斜している関係上、前記係止開口５０の前記対接係合面５０ａに対して、前記係止爪３０が外部から押圧されたときにおける前記基端部Ｑを支点にした前記係止端面３０ａの撓曲回動軌跡（図３の矢印Ｋｂ）も交差するので、前記係止爪３０に外部から何らかの押圧力が加えられた場合や、前記カバー部材４０に大きな振動、衝撃等が加えられた場合でも、それらの外力は、前記係止爪３０の前記係合端面３０ａと前記係止開口５０の前記対接係合面５０ａとの係合力を増加させる方向の力に変換される。
【００２８】
このため、前記係止爪３０の前記係合端面３０ａと前記係止開口５０の前記対接係合面５０ａは、前記のように前記係合面部４４ａの前記係止開口５０付近が意図的に上方へ湾曲せしめられたとき以外は、その係合状態が解かれにくくされ、その結果、前記カバー部材４０は、振動、衝撃等が加えられた場合でも前記本体ケース２０から外れず、さらに、前記係止爪３０の前記係合端面３０ａと前記係止開口５０の前記対接係合面５０ａとが多少摩耗したり、あるいは、前記係止爪３０と前記係止開口５０との間等に多少のガタがあっても充分に吸収されて、不意に前記カバー部材４０が外れるような事態が生じにくくされる。
また、前記係止爪３０の突出端は、側面視「７」字状とされていて、前記係合端面３０ａに作用する変形力を適宜吸収するので、折損事故等も防止できる。
以上、本発明の一実施形態について説明したが、本発明は前記実施形態に限定されるものではなく、特許請求の範囲に記載されている発明の精神を逸脱しない範囲で、設計において適宜変更できるものである。
【００２９】
【発明の効果】
以上の説明から理解されるように、本発明に係るエアークリーナは、比較的簡素な構成でありなら、カバー部材を本体ケースに対して片手でワンタッチで簡単容易に着脱できるとともに、振動、衝撃等が加えられた場合でもカバー部材が外れにくくできるという優れた効果を奏する。
【図面の簡単な説明】
【図１】本発明に係るエアークリーナの一実施形態を示す分解斜視図。
【図２】図１に示されるエアークリーナの組み付け状態の斜視図。
【図３】図２に示されるエアークリーナの左右（幅）方向中央断面図。
【図４】図３のIV−IV矢視断面図。
【図５】従来のエアークリーナの組み付け状態の斜視図。
【図６】図５に示される従来のエアークリーナの左右（幅）方向中央断面図。
【符号の説明】
１０  エアークリーナ
１５  フィルタエレメント
２０  本体ケース
２２  クリーナ室
２２ａ、２２ｂ  周壁部分
３０  係止爪
３０ａ  係合端面
３２  固定側ヒンジ片部
４０  カバー部材
４２  蓋室
４４  延長面部
４４ａ  係合面部
４４ｂ、４４ｃ  押圧面部
５０  係止開口
５２  可動側ヒンジ片部
Ｐ  係合点
Ｑ  基端部
【図１】
0003961087.tif 000002
【図２】
0003961087.tif 000003
【図３】
0003961087.tif 000004
【図４】
0003961087.tif 000005
【図５】
0003961087.tif 000006
【図６】
0003961087.tif 000007